(57)【要約】      （修正有）【課題】火事が発生すると、その火事を発見し、火事が発生している部位あるいは火事が発生しそうな部位へ、素早く水あるいは消火液等の消火剤を簡単に持ち込み、放射して消火することができる消火装置を提供する。【解決手段】火事が発生する部位あるいは火事が発生しそうな部位へ水あるいは消火液等の消火剤を放射することができる伸縮収納ホース３の先端に開閉スイッチ４が設けられた放射ノズル５と、伸縮収納ホースを介して放射ノズルへ消火剤を供給する消火剤収納タンク６内に設置された水中ポンプ７あるいは消火剤収納タンク外に設置されたポンプ及びモータを用いた消火剤供給装置８と、放射ノズルの開閉スイッチを解放すると消火剤供給装置の水中ポンプあるいは消火剤収納タンク外のポンプ及びモータを駆動する駆動回路とで消火装置を構成する。【選択図】図１
0003206529.tif 000002
【実用新案登録請求の範囲】
【請求項１】
火事が発生する部位あるいは火事が発生しそうな部位へ水あるいは消火液等の消火剤を放射することができる伸縮収納できるホースの先端に開閉スイッチが設けられた放射ノズルと、この伸縮収納できるホースを介して放射ノズルへ水あるいは消火液等の消火剤を供給することができる消火剤収納タンク内に設置された水中ポンプあるいは消火剤収納タンク外に設置されたポンプ及びモータを用いた消火剤供給装置と、前記放射ノズルの開閉スイッチを解放すると消火剤供給装置の水中ポンプあるいは消火剤収納タンク外に設置されたポンプ及びモータを駆動させる駆動回路とからなることを特徴とする消火装置。
【考案の詳細な説明】
【技術分野】
【０００１】  本考案は寝たばこやコンロ等が原因で火事が発生すると、その火事を発見して、火事が発生している部位あるいは火事が発生しそうな部位へ水あるいは消火液等の消火剤を放射して消火することができる消火装置に関する。
【背景技術】
【０００２】  従来、火事が発生すると、自動的にその火事を検知して警報する火災警報器が実用化されている。
しかし、この火災警報器は発生した火災を警報するだけであるため、火事が発生した部位に、素早く人手で水あるいは消火液を掛けなければ消火することができないとともに、人手で水あるいは消火液を掛けまでに手数がかかり、消火までに時間がかかるという欠点があった。
【先行技術文献】
【特許文献】
【０００３】
【特許文献１】  特開２０１６−０１８５３０
【考案の概要】
【考案が解決しようとする課題】
【０００４】  本考案は以上のような従来の欠点に鑑み、火事が発生すると、その火事を発見し、火事が発生している部位あるいは火事が発生しそうな部位へ、素早く水あるいは消火液等の消火剤を簡単に持ち込み、放射して消火することができる消火装置を提供することを目的としている。【０００５】  本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００６】  上記目的を達成するために、本考案は火事が発生する部位あるいは火事が発生しそうな部位へ水あるいは消火液等の消火剤を放射することができる伸縮収納できるホースの先端に開閉スイッチが設けられた放射ノズルと、この伸縮収納できるホースを介して放射ノズルへ水あるいは消火液等の消火剤を供給することができる消火剤収納タンク内に設置された水中ポンプあるいは消火剤収納タンク外に設置されたポンプ及びモータを用いた消火剤供給装置と、前記放射ノズルの開閉スイッチを解放すると消火剤供給装置の水中ポンプあるいは消火剤収納タンク外に設置されたポンプ及びモータを駆動させる駆動回路とで消火装置を構成している。
【考案の効果】
【０００７】  以上の説明から明らかなように、本考案にあっては次に列挙する効果が得られる。
（１）請求項１によって、火事が発生する部位あるいは火事が発生しそうな部位で火事が発生すると、その火事を発見して放射ノズルを火事が発生している部位まで簡単に引っ張り出し、放射ノズルの開閉スイッチを解放して、水あるいは消火液等の消火剤を火事が発生している部位に放射して、火事を消火することができる。
このため、発生した火事を発見したのち、水あるいは消火液等の消火剤を放射するまでの時間が短時間で、簡単で素早く消火でき、大きな火事になるのを効率よく防止することができる。【０００８】（２）前記（１）により、放射ノズルの開閉スイッチを解放することにより、駆動回路で、消火剤供給装置の水中ポンプあるいは消火剤収納タンク外に設置されたポンプ及びモータを駆動させるので、確実に消火剤収納タンクの水あるいは消火液等の消火剤を伸縮収納できるホースを介して放射ノズルへ供給することができる。
このため、消火中に水あるいは消火液等の消火剤の供給が停止したりするのを防止することができ、確実に火事を消火することができる。【０００９】（３）前記（１）により、火事が発生した時に、水あるいは消火液を探す時間が不要で、確実に消火できるとともに、消火の時間を短時間に行うことができる。【００１０】（４）前記（１）により、使用者の火元となる最適な位置に放射ノズルを任意に設置することができるので、使用者が最適な消火できる状態で設置することができる。
【図面の簡単な説明】
【００１１】
【図１】本考案を実施するための最良の第１の形態の平面図。
【図２】本考案を実施するための最良の第１の形態の正面図。
【図３】本考案を実施するための最良の第１の形態の消火剤供給装置の平面図。
【図４】本考案を実施するための最良の第１の形態の消火剤供給装置の正面図。
【図５】本考案を実施するための最良の第１の形態の駆動回路の説明図。
【図６】本考案を実施するための最良の第２の形態の平面図。
【図７】本考案を実施するための最良の第２の形態の消火剤供給装置の説明図。
【図８】本考案を実施するための最良の第３の形態の平面図。
【図９】本考案を実施するための最良の第３の形態のケース体内にホースを伸縮収納状態に収納した説明図。
【考案を実施するための最良の形態】
【００１２】  以下、図面に示す考案を実施するための最良の形態により、本考案を詳細に説明する。【００１３】  図１ないし図５に示す本考案を実施するための最良の第１の形態において、１は本考案の寝たばこやコンロ等が原因で火事が発生すると、その火事を発見して、火事が発生している部位あるいは火事が発生しそうな部位へ簡単に水あるいは消火液等の消火剤２を放射して消火することができる消火装置で、この消火装置１は火事が発生する部位あるいは火事が発生しそうな部位へ水あるいは消火液等の消火剤２を放射することができる伸縮収納できるホース３の先端に開閉スイッチ４が設けられた放射ノズル５と、この伸縮収納できるホース５を介して放射ノズル５へ水あるいは消火液等の消火剤２を供給することができる消火剤収納タンク６内に設置された水中ポンプ７を用いた消火剤供給装置８と、前記放射ノズル５の開閉スイッチ４を解放すると消火剤供給装置８の水中ポンプ７を駆動させる駆動回路９と、必要において用いられる火災検知器１２とで構成されている。
伸縮収納できるホース３は従来から一般に使用されている巻き取りリール１０を用いたものが使用されている。
前記放射ノズル５はシャワノズル等の水あるいは消火液等の消火剤２を開閉スイッチ４の開放（オン）によって霧状等に噴射できるものであり、該開閉スイッチ４の開放（オン）によって、前記消火剤供給装置８の水中ポンプ７を一端部が水中ポンプ７に接続され、他端部が開閉スイッチ４に接続されたホース３に巻き付けられた電線１１を用いた駆動回路９により駆動できるように構成されている。
前記消火剤供給装置６は前記水中ポンプ５の吐出口５ａと伸縮収納できるホース３の供給側のホース３ａとが接続され、排出側のホース３ｂの先端部に取り付けられた放射ノズル５へ送るように構成されている。
必要において用いられる前記火災検知器１２は従来から使用されている無線式のものが使用されている。【００１４】  上記構成の消火装置１は寝たばこやコンロ等が原因で火事が発生しそうな部位へ簡単に水あるいは消火液等の消火剤２を放射して消火することができる部位に放射ノズル５を設置しておくことにより、火事を発見して、火事が発生している部位に放射ノズル５を簡単に引っ張り出し、放射ノズル５の開閉スイッチ４を解放して、水あるいは消火液等の消火剤２を火事が発生している部位に放射して、火事を消火することができる。
また、放射ノズル５の開閉スイッチ４を解放することにより、消火剤供給装置８の水中ポンプ７も駆動するので、放射ノズル５へ確実に水あるいは消火液等の消火剤２を供給することができる。
なお、火災検知器１２は設置されていると自動的に火災を発見することができるが、常に人がいて、火事を簡単に発見できる場所では、必ずしも火災検知器１２がなくてもよい。
【考案を実施するための異なる形態】
【００１５】  次に、図６ないし図９に示す本考案を実施するための異なる形態につき説明する。なお、これらの本考案を実施するための異なる形態の説明に当たって、前記本考案を実施するための第１の形態と同一構成部分には同一符号を付して重複する説明を省略する。
【００１６】  図６および図７に示す本考案を実施するための第２の形態において、前記本考案を実施するための第１の形態と主に異なる点は消火剤供給装置８Ａで、この消火剤供給装置８Ａは消火剤収納タンク６内の水あるいは消火液等の消火剤２を前記放射ノズル５のホース３を介して前記放射ノズル５へ送れるように、ベース板１３上に設置した消火剤収納タンク６、この消火剤収納タンク６外のベース板１３上に設けたモータ１４とポンプ１５とで構成されている。
このように構成された消火剤供給装置８Ａを用いた、消火装置１Ａにしても前記本考案を実施するための第１の形態と同様な作用効果が得られる。
【００１７】  図８および図９に示す本考案を実施するための第３の形態において、前記本考案を実施するための第１の形態と主に異なる点は、伸縮収納できるホース３Ａで、この伸縮収納できるホース３Ａは上部が開口されたケース体１６と、このケース体１６内に円形状の巻き付け状態あるいは折り曲げ部がＵ字状に形成して収納される水中ポンプ５の吐出口５ａに供給側が接続され、排出側の先端部に放射ノズル５が取り付けられた伸縮収納できるように収納されたホース３とで構成されている。
このように構成された伸縮収納できるホース３Ａを用いた、消火装置１Ｂにしても前記本考案を実施するための第１の形態と同様な作用効果が得られる。
【００１８】
【産業上の利用可能性】
【００１９】  本考案は火事が発生するすると、その火事を発見して、火事が発生した部位に、素早く人手で水あるいは消火液を簡単に持ち込み、短時間に消火することができる消火装置を製造する産業で利用される。
【符号の説明】
【００２０】１、１Ａ、１Ｂ：消火装置、
２：水あるいは消火液等の消火剤、
３、３Ａ：ホース、
４：開閉スィッチ、
５：放射ノズル、
６、６Ａ：消火剤収納タンク、
７：水中ポンプ、
８、８Ａ：消火剤供給装置、
９：駆動回路、
１０：巻き取りリール、
１１：電線、
１２：火災検知器、
１３：ベース板、
１４：モータ、
１５：ポンプ、
１６：ケース体。
【図１】
0003206529.tif 000003
【図２】
0003206529.tif 000004
【図３】
0003206529.tif 000005
【図４】
0003206529.tif 000006
【図５】
0003206529.tif 000007
【図６】
0003206529.tif 000008
【図７】
0003206529.tif 000009
【図８】
0003206529.tif 000010
【図９】
0003206529.tif 000011